(57)【要約】【課題】ラベルの剥がし開始位置がすぐ探せ、ボトルから容易に１枚のまま剥がせてボトルとの分別廃棄が容易なワンタッチ剥がしボトルラベルを提供すること。【解決手段】ボトルラベル上端（3）の一部に、上縁（11）が上方へ膨出した剥がし開始目印用逆三角図形（4）を描き、この逆三角図形の両斜辺に沿って一対の切込みミシン目（5）、（6）を形成し、一方の切込みミシン目の下端に連続する第1の切り離しミシン目（7）はボトルラベルの下端（9）まで延ばし、他方の切込みミシン目の下端に連続する第２の切り離しミシン目（8）は途中から第1の切り離しミシン目と離れる方向に緩やかに大きく円の四分の一湾曲させた。【選択図】図１
0003116787.tif 000002
【実用新案登録請求の範囲】
【請求項１】
ボトル本体（1）の外周面に密着して装着される筒状のボトルラベル（2）であって、ボトルラベル上端（3）の一部に描かれ、かつ上縁（11）がボトルラベル上端から上方へ膨出した剥がし開始目印用逆三角図形（4）と、この逆三角図形の両斜辺の中間部に表示された一対の切込みミシン目（5）、（6）と、一方の切込みミシン目の下端に連続してボトルラベルの下端（9）まで達する直線状の第1の切り離しミシン目（7）と、ほぼ平行な直線部分の他方の切り離しミシン目（8）がボトルラベル全高の二分の一ないし三分の二の長さを有しその下端部（10）を第1の切り離しミシン目（7）から離れる方向に緩やかに大きく円の四分の一湾曲させた第2の切り離しミシン目（8）、（10）を具備したことを特徴とするワンタッチ剥がしボトルラベル。
【考案の詳細な説明】
【技術分野】
【０００１】
本考案は、ペットボトル、ビン等のボトル本体から容易に、１枚のまま剥がすことができ、ボトル本体とラベルの分別廃棄が容易なワンタッチ剥がしボトルラベルに関する。
【背景技術】
【０００２】
近年、ゴミの分別廃棄が義務付けられており、ボトル本体の外周面に装着したボトルラベルも、ボトル本体から容易に剥がせるように、様々な技術が開発されている。
【０００３】
その多くはラベルの上下端間に一対の切込みミシン目を平行につけておき、両ミシン目間の上端を摘んで下方へ引き裂くことによって、ラベルをボトルから剥がすように構成されている。ところがこのような構成では、ボトルから剥がしたラベルが２枚に分離して散らかり易く、ゴミ収集の観点から不具合があった。そこで、ラベルをボトルから容易に１枚のまま剥がすことができるよう、様々な工夫がなされている。
【０００４】
特開2003-192020号公報には、ボトルの胴部に被せた筒状のラベルに縦方向の2本の切れ目線を設け、その少なくとも1本の切れ目線の下部に、切れ目線を設けない部分を残した構成が示されている。
このようにすると、2本の切れ目線間の上端部を摘んで下方へ引き裂いたとき、ラベルを1枚のままボトル胴部から剥がすことができる。ただし、あまり素早く引っ張ると、切れ目線を設けない部分も一気に引き裂かれてしまい、ラベルが二つに分離してしまう恐れもある。
【０００５】
特開2004-142818号公報の図3には、シーリングラベルにおいて、第2の切り離しミシン目の下端部を第1の切り離しミシン目から離れる方向に急激に湾曲させた構成が開示されている。
このようにすると、2本の切り離しミシン目間の上端摘み部を摘んで下方へ引き裂いたとき、第1の切り離しミシン目がラベル下端まで切れる前に第2の切り離しミシン目がラベル下端まで引き裂かれてしまうことあるので、より確実に、ラベルを1枚のまま剥がすことができない恐れがある。
【０００６】
ところで、ボトルに装着されるラベルの役割として、装飾効果は極めて重要である。ラベルの装飾効果によって、ボトルに入れた商品の価値が評価されることも多いので、装飾効果を損ないがちな切り離しミシン目は、できるだけ目立たせたくない。しかしながら、ゴミの分別廃棄も極めて重要なことであるから、少なくとも、ラベルの剥がし開始位置だけは、すぐに目に付くようにしておきたい。
【０００７】
切り離しミシン目は目立たせず、ラベルの剥がし開始位置はすぐに目に付き、しかもラベルは容易に、ボトルから１枚のままで剥がせるように、との複合的な観点から見ると、上記いずれの技術にも、問題があった。すなわち、いずれの公報に記載された技術も、ラベル上に平行に形成された一対の切込みミシン目の上端部が、そのままラベル剥がし開始位置となっており、特に特開2003-192020号公報に記載された技術ではラベルの上端縁が平坦なため、剥がし開始位置が探しにくい。
【０００８】
特開2004-142818号公報の図3に記載された技術では剥がし開始位置を僅かに膨らませているので、特開2003-192020号公報記載のものよりは、剥がし開始位置を見付け易いが、もっとこの部分を目立たせようとすると、一対の切込みミシン目の間隔を広げねばならないからミシン目も目立ってしまい、ラベルの装飾効果を損なう恐れがある。
【０００９】
ところで、実願昭48-028009号（実開昭49-128858号）のマイクロフィルムには、封緘シール材に関する技術ではあるが、次のような記載がある。すなわち、ティアテープとなる細長い部分を末端部から引き裂き易くするために、細長い部分の端部両側に斜めの切込みを入れておくというものである。封緘シール材であるから、剥がし開始位置を探すほどのことではないが、この技術をワンタッチボトルラベルに適用したとすると、斜めの切込みはさほど目立つものではないから、ティアテープの剥がし開始位置を見付けるのは容易ではない。
【００１０】
また、特開2002-255237号公報には、包装袋に関し次のような記載がある。すなわち、包装袋の内面に、両端間にわたってカットテープを貼付けて包装袋の両端をヒートシールする際、その一端側のヒートシール部にはカットテープと重なる位置にシールしない部分を残しておく。そして、シールしない部分にはカットテープの両側に斜めの切込みを入れて、カットテープを切り裂く際のつまみ部とする、というものである。
【００１１】
図面では、ヒートシール部とシールしない部分との境界が半円形で示されているが、実際には半円形の線や図形が描かれてはいないので（半円形の図形を描く、との記載もない）、シールした部分とシールしていない部分との境界を視認するのは難しい。しかも、この技術をワンタッチボトルラベルに適用すること自体にも無理がある。
【００１２】
更に、実願平05-076090号（実開平07-041971号）のＣＤ−ＲＯＭには、蓄電池梱包ケースに関する技術ではあるが、次のような記載がある。すなわち、梱包ケース側板の内面に破断用テープを接着固定し、梱包ケース側板の両端には破断用テープの端部を囲むような形で切込みを入れておく、というものである。
【００１３】
切込みを入れておくと、この部分を掴んで引っ張り易くなり、梱包ケース側板を切り裂く際に便利であるが、この切込みは切り裂き開始位置を探し易くするために設けたものではない。この技術を単にワンタッチボトルラベルに適用したとしても、切込み自体はさほど目立たないので、ラベルの剥がし開始位置が探し易くとは思えない。
【００１４】
【特許文献１】特開2003-192020号公報
【特許文献２】特開2004-142818号公報
【特許文献３】実願昭48-028009号（実開昭49-128858号）のマイクロフィルム
【特許文献４】特開2002-255237号公報
【特許文献５】実願平05-076090号（実開平07-041971号）のＣＤ−ＲＯＭ
【特許文献６】特開平10-305855号公報
【特許文献７】特開平11-310269号公報
【特許文献８】特開2004-251966号公報
【特許文献９】実願昭50-168107号（実開昭52-080753号）のマイクロフィルム
【考案の開示】
【考案が解決しようとする課題】
【００１５】
本考案は、このような問題を解消するためになされたもので、その目的は、剥がし開始位置をすぐに探すことができてボトル本体から容易に１枚のまま剥がすことができ、しかもミシン目等の切り離し線を目立たせずボトルラベル本来の装飾機能を損なうことのない、ワンタッチ剥がしボトルラベルを提供することにある。
【課題を解決するための手段】
【００１６】
本考案のワンタッチ剥がしボトルラベルは、ボトルラベル上端の一部に逆三角形状の剥がし開始目印を表示し、この目印の剥がし開始目印用逆三角図形を、その上縁をボトルラベル上端から上方へ膨出させて表示し、この逆三角図形の両斜辺の中間部に沿って一対の切込み線を形成し、一方の切込み線の下端に連続してボトルラベルの下端に至る直線状の第１の切り離しミシン目と、他方の切込み線の下端に連続してボトルラベルの下端まで至らない第２の切り離しミシン目とを設けて構成される。第２の切り離しミシン目は、第１の切り離しミシン目とほぼ平行な直線部分がボトルラベル全高の二分の一ないし三分の二の長さを有しその下端部を第１の切り離しミシン目（７）から離れる方向に緩やかに大きく円周の四分の一湾曲（１０）させている。
【考案の効果】
【００１７】
本考案によれば、剥がし開始目印用逆三角図形を、第１、第２の切り離しミシン目の間隔と関係なく大きく表示できるので、剥がし開始目印用逆三角図形は良く目立つように大きめにし、第１、第２の切り離しミシン目の間隔は、あまり目立たないように途中で破断しない程度に、そしてボトルラベル本来の装飾機能を損なわない程度に狭くすることができる。また、第１の切り離しミシン目はボトルラベルの下端まで達しており、第２の切り離しミシン目は第１の切り離しミシン目とほぼ平行な部分がボトルラベル本体の全高の二分の一ないし三分の二の長さを有しその下端部を第１の切り離しミシン目（７）から離れる方向に緩やかに大きく円周の四分の一湾曲（１０）させているので、剥がし開始目印用逆三角図形を摘んで単に下方へ引っ張るだけで、ボトル本体から容易に１枚のまま剥がすことができる。特に、第２の切り離しミシン目の下端を第１の切り離しミシン目から離反する向きに緩やかに大きく円周の四分の一湾曲（１０）させたことにより、第１の切り離しミシン目が下端まで破断する前に第２の切り離しミシン目の下端から生じた裂け目がボトルラベルの下端に達してボトルラベルが二分割されてしまう不具合を確実に回避できる。
【考案を実施するための最良の形態】
【００１８】
以下、本考案の実施の形態を、図面を参照して説明する。
図１は飲料水等のボトル本体１の外周面に筒状のボトルラベル２を密着して装着した状態を示すもので、ボトルラベル２の全面にはボトル本体１の内容物に関する情報が装飾を施して美しく描かれている（図面では省略）。
【００１９】
ボトルラベル２の上端３の一部には、剥がし開始目印用逆三角図形４が描かれ、この逆三角図形４の上縁１１をボトルラベル上端から上方へ膨出させ、逆三角図形４の両斜辺に沿って、一対の切込み線５、６が形成されている。
【００２０】
図中左方の切込み線５の下端には直線状の第１の切り離しミシン目７が、図中右方の切込み線６の下端には直線状の第２の切り離しミシン目８が、それぞれ連続して形成されている。第１、第２の切り離し線７、８はミシン目状に形成され、第１の切り離し線７はボトルラベル２の下端９まで達している。第２の切り離しミシン目８は切込み線６から第１の切り離しミシン目７とほぼ平行に直線的に下方へ延び、その下端部は、ボトルラベル２の上端３からボトルラベル２の全高の二分の一ないし三分の二の位置で第１の切り離しミシン目７から離れる方向に緩やかに湾曲する湾曲部１０となっている。
【００２１】
第２の切り離しミシン目８の下端部を、ボトルラベル２の上端３からボトルラベル２の全高の二分の一ないし三分の二の位置で第１の切り離しミシン目７から離れる方向に緩やかに大きく円周の四分の一湾曲する湾曲部１０とした理由は、第２の切り離しミシン目８をボトルラベル２の二分の一より上方で終わらせると第１の切り離しミシン目７がボトルラベル２の下端９に至る前に第２の切り離しミシン目８の終端から予測できない方向へ裂けてしまい、ボトルラベル２を１枚のまま剥がすことができない恐れがあり、また、ボトルラベル２の三分の二より下方まで延ばすとボトルラベル２の下端９に向けて裂けてしまう恐れがあるからである。ボトルラベル２の全高の二分の一ないし三分の二のところで緩やかに湾曲させると、第１の切り離しミシン目７がボトルラベル２の下端９までスムーズに破断離脱でき、ボトルラベル２の二分割を避けられることが確認できた。
【００２２】
剥がし開始目印用逆三角図形４は目立つように大きめにし、ボトルラベル２の装飾機能を損ねない程度に目立つ色を施すと良い。第１、第２の切り離しミシン目７、８の間隔は、あまり広くすると線が目立ってしまいボトルラベル２の装飾機能を損ねてしまうので、剥がすときに途中で破断しない程度に狭くしておくことが望ましい。
【００２３】
図２は、ボトルラベル２をボトル本体１から剥がす途中状態を示している。ボトル本体１が空になって廃棄するときは、ボトル本体１とボトルラベル２とを分別して廃棄しなければならない。ボトルラベル２を剥がすときは、剥がし開始目印用逆三角図形４を摘んでやや下方外側へ引っ張ればよい。剥がし開始目印用逆三角図形４は第１、第２の切り離しミシン目８の間隔よりも広く大きく、しかもその上縁１１がラベル２の上端３から上方へ膨出しているので、探し易く、そして摘み易くなっている。
【００２４】
剥がし開始目印用逆三角図形４を摘んで引っ張ると、図２のように一対の切込み線５、６に続いて第１、第２の切り離しミシン目７、８が破断していく。そして第１の切り離しミシン目７はボトルラベル２の下端９まで続いているのでボトルラベル２の下端９まで破断されるが第２の切り離しミシン目８は途中で第１の切り離しミシン目７から離れる方向へ彎曲部１０が緩やかに大きく円周の四分の一湾曲してお第２の切り離しミシン目８はその湾曲部１０に沿って破断が進むので切り離しミシン目８の終端から裂け目が生じたとしてもその裂け目はボトルラベル２の下端９に向かい難くなり第１の切り離しミシン目７が下端まで破断された時点でボトルラベル２はボトル本体１から容易に１枚のまま剥がすことができる。
【図面の簡単な説明】
【００２５】
【図１】ボトル本体１の外周面にボトルラベル２を装着した状態を示す正面図である。
【図２】ボトルラベル２をボトル本体１から剥がす途中状態を示す正面図である。
【符号の説明】
【００２６】
１  ボトル本体
２  ボトルラベル
３  上端
４  剥がし開始目印
５，６切込み線
７  第１の切り離しミシン目
８  第２の切り離しミシン目
９  下端
１０湾曲部
１１上縁
【図１】
0003116787.tif 000003
【図２】
0003116787.tif 000004